(57)【要約】【課題】配管の捩れや破損を防ぎ、複数のワークを独立して保持でき、サーキュラテーブルの回転角の制限を無くし、吸着力を大きくする。【解決手段】サーキュラテーブル１には、複数の吸着口９を各別に含む複数の排気経路１０が形成され、配管ブロック８は、サーキュラテーブル１と同心の環形状に形成され、配管継手１３が接続される複数の排気室１２を有する。この配管ブロック８は、サーキュラテーブル１の下面側又は外側に配置される。又、配管ブロック８を移動体３上に支持固定し、排気室１２を円弧形状に形成し、各排気室１２をサーキュラテーブル１側の各排気経路１２に夫々独立に連通させて、各吸着口９に吸着力が独立に生じるように構成する。【選択図】図５
2015164758.tif 000002
【特許請求の範囲】
【請求項１】
複数のワークをそれぞれ吸着保持する複数の吸着口を有するサーキュラテーブルと、該サーキュラテーブルを回転させる回転駆動部と、真空発生源に接続可能な配管ブロックと、を備えたダイシング装置の吸着保持装置において、
前記配管ブロックは、前記吸着口を含む排気経路に連通され、前記真空発生源に連通する円弧形状の排気室を備えていることを特徴とするダイシング装置の吸着保持装置。
【請求項２】
前記配管ブロックは、前記サーキュラテーブルの外径と略同等の外径を有し、該サーキュラテーブルの下面側に配置されていることを特徴とする請求項１記載のダイシング装置の吸着保持装置。
【請求項３】
前記配管ブロックは、前記サーキュラテーブルの外径と略同等の内径を有し、該サーキュラテーブルの外側に配置されていることを特徴とする請求項１記載のダイシング装置の吸着保持装置。
【請求項４】
前記複数の排気室は、前記配管ブロックの周方向に沿って一列に設けられていることを特徴とする請求項１記載のダイシング装置の吸着保持装置。
【請求項５】
前記複数の排気室は、前記配管ブロックの径方向において複数段に配設されていることを特徴とする請求項１記載のダイシング装置の吸着保持装置。
【発明の詳細な説明】
【技術分野】
【０００１】
本発明は、ダイシング装置の吸着保持装置に関するものであり、特に、複数のワーク（被切削物）を真空吸着して保持するダイシング装置の吸着保持装置に関するものである。
【背景技術】
【０００２】
ワークに対して切削加工を施すダイシング装置は、スピンドルで高速回転するブレード、ワークを吸着保持する装置、ブレードとワークとの相対的位置を変化させる装置等を具備している。
【０００３】
此種ダイシング装置の吸着保持装置の従来例を図１５乃至図１８に示す。図示のように、吸着保持装置は、吸着口５０が１個穿設されたサーキュラテーブル５１と、該サーキュラテーブル５１を回転駆動する回転駆動部５２と、サーキュラテーブル５１の外周部に一体に設けられ、且つ、前記吸着口５０に連通する配管継手５３が連結された配管ブロック５４と、これらユニットを載置して切削方向に移動する移動体５５等を備えている。
【０００４】
前記配管継手５２は排気経路５６を介して吸着口５０に連通している。更に、配管継手５２には配管（図示せず）を介して真空ポンプ（図示せず）が接続され、この真空ポンプの駆動により、サーキュラテーブル５１の吸着口５０に吸引力を発生させることで、サーキュラテーブル５１上にワークを保持できるように構成されている（関連先行技術文献として特許文献１、２参照）。又、複数のワークを保持できるように、吸着口を複数形成したものも知られている（特許文献３参照）。
【先行技術文献】
【特許文献】
【０００５】
【特許文献１】特開２００１−８５４４９号公報
【特許文献２】特開平１０−３２１５６２号公報
【特許文献３】特許４５７４４２４号公報
【発明の概要】
【発明が解決しようとする課題】
【０００６】
このように、基板（ワーク）を切削するダイシング装置では、サーキュラテーブル上に基板を吸着保持すべく、上記吸着口に吸引力を発生させるために、配管ブロックの配管継手に真空ポンプを接続している。しかし、基板は表面形状が反っていることがあり、この場合、基板はサーキュラテーブルの吸着面と密着しないことから、吸着口における真空度が低下し、基板が吸着できなくなることがある。
【０００７】
前記基板に対する吸着力を上げるためには、真空ポンプの吸引力を大きくすればよいが、この場合は真空ポンプが大型化してコスト高になる。又、吸着力を上げる他の方法としては、配管の本数を増加させる、或いは、配管の径を大きくする等により、配管全体の通路面積（横断面積）を増大させることも考えられる。
【０００８】
この場合、サーキュラテーブルと一体に回転する配管継手に配管を連結するが、サーキュラテーブルの回転中心部に配管を連結した場合、回転部が貫通していなければならず、また、この貫通部に配管を配設することになる。その結果、該配管の本数や径は、前記貫通部の開口径の大きさに依存する。そのため、複数の配管を配置すると、配管１本当たりの通路面積が小さくなり、それに応じて吸着力も小さくなる。
【０００９】
また、サーキュラテーブルの外周部に複数の配管を束ねて接続した場合は、配管の本数の増加と相俟って配管が捩れたり、或いは、配管同士で表面が擦れて配管が破損したりする。加えて、前記配管により、サーキュラテーブルの回転角の範囲が制限を受けたり、あるいは、サーキュラテーブルが回転する際に、配管から抵抗力を受けて、サーキュラテーブルの回転が妨げられるばかりか、配管が配管継手から外れることもある。
【００１０】
そこで、本発明は上記問題に鑑み、配管の捩れや破損を防止し、複数のワークを独立して保持でき、かつ、サーキュラテーブルの回転角の制限を無くし、真空発生源を大型化することなく、吸着力を大きくことができるようにするために解決すべき技術的課題が生じてくるのであり、本発明はこの課題を解決することを目的とする。
【課題を解決するための手段】
【００１１】
本発明は、上記目的を達成するために提案されたものであり、請求項１記載の発明は、複数のワークをそれぞれ吸着保持する複数の吸着口を有するサーキュラテーブルと、該サーキュラテーブルを回転させる回転駆動部と、真空発生源に接続可能な配管ブロックと、を備えたダイシング装置の吸着保持装置において、前記配管ブロックは、前記吸着口を含む排気経路に連通され、前記真空発生源に連通する円弧形状の排気室を備えていることを特徴とするダイシング装置の吸着保持装置を提供する。
【００１２】
この構成によれば、配管ブロックには、真空ポンプが接続され、この真空ポンプにより、配管、排気室及び排気経路を介してサーキュラテーブル側の各吸着口に吸引力が付与される。そのため、複数の各吸着口に独立した吸着力が発生する。又、配管ブロック側の各排気室を円弧形状に形成したことにより、排気室の円弧形状の中心角に応じた範囲で、サーキュラテーブルが回転しても、該サーキュラテーブル側の排気経路と排気室との連通状態が維持されるので、各吸着口において安定した真空吸着作用が惹起される。
【００１３】
請求項２記載の発明は、前記配管ブロックは、前記サーキュラテーブルの外径と略同等の外径を有し、該サーキュラテーブルの下面側に配置されていることを特徴とする請求項１記載のダイシング装置の吸着保持装置を提供する。
【００１４】
この構成によれば、配管ブロックは、前記サーキュラテーブルの外径と略同等の外径を有し、該サーキュラテーブルの下面側に配置されているので、サーキュラテーブルの下側のデッドスペースを有効利用して、配管ブロックの配設及び配管の敷設を行える。
【００１５】
請求項３記載の発明は、前記配管ブロックは、前記サーキュラテーブルの外径と略同等の内径を有し、該サーキュラテーブルの外周側に配置されていることを特徴とする請求項１記載のダイシング装置の吸着保持装置を提供する。
【００１６】
この構成によれば、配管ブロックは、サーキュラテーブルの外径と略同等の内径を有し、該サーキュラテーブルの外周側に配置されているので、配管ブロックの外径を大きくして、排気室を形成するための面積を広くすることができる。
【００１７】
請求項４記載の発明は、前記複数の排気室は、前記配管ブロックの周方向に沿って一列に設けられていることを特徴とする請求項１記載のダイシング装置の吸着保持装置を提供する。
【００１８】
この構成によれば、複数の円弧形状の排気室は、配管ブロックの周方向に沿って一列に設けられているので、排気室の円弧形状の中心角に応じて、サーキュラテーブルの有効な回転角（以下「吸着可能回転範囲」という。）が大きくなる。例えば、排気室が２つの場合は中心角が約１８０度であるので、サーキュラテーブルを最大限約１８０度回転させても、サーキュラテーブル側の排気経路と配管ブロック側の排気室との連通が維持されるので、ワークの吸着保持が可能になる。
【００１９】
請求項５記載の発明は、前記複数の排気室は、前記配管ブロックの径方向において複数段に配設されていることを特徴とする請求項１記載のダイシング装置の吸着保持装置を提供する。
【００２０】
この構成によれば、複数の排気室は、配管ブロックの径方向において複数段に配設されているので、排気室の数（吸着口の数）が多くなっても、排気室を複数段に分けて一列に配置することで、各排気室の中心角の大きさが維持される。
【発明の効果】
【００２１】
請求項１記載の発明は、サーキュラテーブルの回転とともに配管が回転しないので、配管の本数を増加させても、配管の擦れや破損を招く恐れがないばかりか、サーキュラテーブルの有効な回転角の範囲が制限を受けたり、あるいは、サーキュラテーブルが回転する際に、配管から抵抗力を受けて、サーキュラテーブルの回転が妨げられることもない。
【００２２】
また、複数の各吸着口には独立した吸着力を発生させて、複数のワークを各別に吸着保持でき、この場合、配管の本数や径は任意に設定できるので、真空ポンプを大型化させることなく、吸着力を上げることができる。
【００２３】
請求項２記載の発明は、サーキュラテーブルの下側のデッドスペースを有効利用して、配管ブロックの配設及び配管の敷設を行えるので、請求項１記載の発明の効果に加えて、配管ブロック及び配管の配設のための占有スペースを特別に確保する必要がなく、吸着保持装置全体としてコンパクト設計が可能になる。
【００２４】
請求項３記載の発明は、配管ブロックの外径を大きくして、排気室を形成するための面積が広くなるので、請求項１記載の発明の効果に加えて、排気室の広さに応じて、管路面積の大きな配管継手を採択でき、以て、吸着口の吸着力を一層上げることができる。
【００２５】
請求項４記載の発明は、排気室の円弧形状の中心角に応じて、サーキュラテーブルの吸着可能回転範囲が拡大するので、請求項１記載の発明の効果に加えて、例えば、排気室が２つであれば、各排気室の中心角を最大約１８０度に設定でき、以って、サーキュラテーブルを最大限約１８０度回転させても、ワーク吸着機能を確実に発揮させることができる。
【００２６】
請求項５記載の発明は、吸着口の数に応じて排気室の数が多くなっても、排気室を複数段に分けて一列に配置することで、各排気室の中心角に応じたサーキュラテーブルの吸着可能回転範囲を維持できるので、請求項１記載の発明の効果に加えて、前記吸着可能回転範囲を小さくすることなく、吸着口の数を増加させることができる。
【図面の簡単な説明】
【００２７】
【図１】本発明の実施例１に係るダイシング装置の吸着保持装置を示す斜視図。
【図２】図１の平面図。
【図３】図１の配管ブロックの上面図。
【図４】図１の側面図。
【図５】図１の側面断面図。
【図６】本発明の実施例２に係るダイシング装置の吸着保持装置を示す斜視図。
【図７】図６の平面図。
【図８】図６の側面図。
【図９】図６の側面断面図。
【図１０】本発明の実施例３に係るダイシング装置の吸着保持装置を示す斜視図。
【図１１】図１０の平面図。
【図１２】図１０の配管ブロックの上面図。
【図１３】図１０の側面図。
【図１４】図１０の側面断面図。
【図１５】従来例を示す斜視図。
【図１６】図1５の平面図。
【図１７】図１５の側面図。
【図１８】図１５の側面断面図。
【発明を実施するための形態】
【００２８】
本発明は、配管の捩れや破損を防止しつつ、複数のワークを独立して吸着保持でき、サーキュラテーブルの有効な回転角の制限を無くしつつ、吸着力を大きくするという目的を達成するために、複数のワークをそれぞれ吸着保持する複数の吸着口を有するサーキュラテーブルと、該サーキュラテーブルを回転させる回転駆動部と、真空発生源に接続可能な配管ブロックと、を備えたダイシング装置の吸着保持装置において、前記配管ブロックは、前記吸着口を含む排気経路に連通され、前記真空発生源に連通する円弧形状の排気室を備えていることによって実現した。
【実施例１】
【００２９】
以下、本発明の好適な実施例を図１乃至図５に基づいて説明する。本実施例に係るダイシング装置の吸着保持装置を示す図１において、１は、ワークである基板（被切削物）を吸着保持する短円筒状のサーキュラテーブル（吸着テーブル）であり、サーキュラテーブル１は軸芯Ｃの周りに回転可能に設けられている。サーキュラテーブル１の下側には、中空モータ（回転駆動部）２が配設され、この中空モータ２により、サーキュラテーブル１は軸芯Ｃの周りに回転駆動されるようになっている。
【００３０】
中空モータ２は、キャリッジ（移動体）３上の台座４に載置固定され、該キャリッジ３は、レール６に沿ってワーク切削方向Ｘに往復動できるようになっている。又、キャリッジ３上には配管ブロック８が複数本の支持フレーム７で支持固定されている。
【００３１】
サーキュラテーブル１の吸着面１１の中央部には、図２に示すように、４個の吸着口９が穿設され、これら吸着口９は、平面視で軸芯Cに関して互いに点対称となる箇所に形成されている。又、サーキュラテーブル１の内部には、図５に例示するように、各吸着口９に対応する４本の排気経路１０が半径方向に形成され、各排気経路１０の内端側は、各吸着口９と独立に連通している。この排気経路１０の外端側は、サーキュラテーブル１の外周部まで延伸している。
【００３２】
サーキュラテーブル１の下面側には前記配管ブロック８が設けられている。この配管ブロック８は平面視円環形状に形成され、その外周形状部はサーキュラテーブル１側の外周部と対応している。即ち、配管ブロック８は、サーキュラテーブル１の外径と略同等の外径を有し、サーキュラテーブル１の下面側に之と同心状に配置されている。
【００３３】
図３に示すように、配管ブロック８には排気室（吸引室）１２が４つ形成され、該排気室１２は、中心角が約９０度の平面視四半円弧形状を有している。４つの排気室１２は、サーキュラテーブル１の円周方向に沿って等ピッチで一列に配設されている。
【００３４】
図５に示すように、各排気室１２の上側は各排気経路１０を介して、サーキュラテーブル１側の吸着口９と夫々独立に連通している。依って、各排気経路１０と各吸着口９から成る４つの排気系統は、互いに独立した排気吸引回路を形成している。
【００３５】
前記排気室１２の底面中央部の近傍箇所には配管継手１３が接続され、図４に示すように、配管継手１３は下方向に取り付けられている。従って、各配管継ぎ手１３は、上記排気経路１０を介して各吸着口９に夫々連通している。
【００３６】
更に、各管継手１３には配管（図示略）の一端部が夫々取り付けられ、各配管の他端部は、図示しない真空ポンプ（真空発生源）に接続されている。従って、真空ポンプの駆動により前記配管を介して、各排気室１２に排気吸引力を独立に付与できるようになっている。
【００３７】
本実施例によれば、サーキュラテーブル１の外周部下面側、即ち、配管ブロック８の下面側に配管継手１３を取り付けたことにより、真空ポンプの駆動によって、配管ブロック８の各排気室１２の底面部に排気吸引力が付与される。そして、この排気吸引力は各排気経路１０を介して、４つの吸着口９に独立に真空吸着力を発生させる。
【００３８】
その結果、各吸着口９において、４個の基板（被切削物）を各々独立して吸着保持できる。又、配管が接続される配管継手１３は、キャリッジ３の台座４上に載置固定されている。依って、サーキュラテーブル１の回転時に配管は回転せず、配管に擦れや破損を起こす恐れもない。
【００３９】
又、各排気室１２を四半円弧形状に形成することにより、サーキュラテーブル１が所定範囲回転しても、該サーキュラテーブル１側の排気経路１０と配管ブロック８側の排気室１２との連通状態を維持して、各吸着口９に安定した吸着力が生じる。その際、サーキュラテーブル１を約９０度回転させても、サーキュラテーブル１の回転が配管により妨げられることもない。
【００４０】
更に、真空ポンプによる真空引きによって、各配管を介して各吸着口９に各別に真空吸着力が発生するので、管路面積の大きな配管を配管継手１３に接続することにより、各吸着口９に大きな吸着力を発生させることができる。従って、反った形状の基板でもあっても、当該基板をより確実に吸着することができる。
【００４１】
図示例では、配管ブロック８は、サーキュラテーブル１の外径と略同等の外径を有し、サーキュラテーブル１の下面側に配置されている。よって、サーキュラテーブル１の下側のデッドスペースを有効利用して、配管ブロック８及び配管を配設できる。
【実施例２】
【００４２】
本発明の実施例２を図６乃至図９に示す。本実施例２の特徴は、配管ブロック１８の内側面に複数の円弧形状の排気室１２を形成し、配管ブロック１８の内側面から排気吸引を行えるようにした点にある。尚、前記実施例１と実質的に同一の構成要素については、それと同一の符号を付して、その詳細な説明を省略するものとする。
【００４３】
上記実施例１同様に、サーキュラテーブル１を駆動する中空モータ２は、キャリッジ３の台座４上に載置固定されていると共に、キャリッジ３上には複数の支持フレーム７により、円環形状の配管ブロック１８が支持固定されている。
【００４４】
サーキュラテーブル１の内部には、図９に例示するように、４個の各吸着口９に対応する４本の排気経路２０が半径方向に形成され、各排気経路２０の内端は、各吸着口９と１対１に対応して独立に連通している。この排気経路２０の外端は、サーキュラテーブル１の外側面に開口している。
【００４５】
サーキュラテーブル１の外側には、円環形状の前記配管ブロック１８が設けられ、配管ブロック１８は、サーキュラテーブル１の外径と略同等の内径を有し、サーキュラテーブル１と同心状に配置されている。配管ブロック１８の内周側面に形成した平面視四半円弧形状の４つの排気室２２は、配管ブロック１８の周方向に沿って等ピッチで一列に配設されている。
【００４６】
図９に示すように、各排気室２２の内側は各排気経路２０を介して、サーキュラテーブル１側の吸着口９と夫々独立に連通している。依って、各排気経路２０と各吸着口９とから成る４つの各排気系統は、互いに独立した排気吸引回路を形成している。
【００４７】
前記排気室２２の底面に取り付けた各配管継手１３は、上記排気経路２０を介して各吸着口９に夫々連通し、配管継手１３には配管（図示略）を介して真空ポンプ（図示略）に各別に接続されている。
【００４８】
本実施例によれば、サーキュラテーブル１の外周部側面側、即ち、配管ブロック１８の内側面に配管継手１３を配置したことにより、真空ポンプの駆動によって、配管ブロック１８の各排気室２２の側面部に排気吸引力が発生し、この排気吸引力は各排気経路２０を介して４つの吸着口９に独立別個に付与される。その結果、各吸着口９により、４個の被切削物（基板）を各々独立して吸着保持できる等、前記実施例１と同様な効果を奏する。
【００４９】
特に、配管ブロック１８をサーキュラテーブル１の外側に配置したので、配管ブロック１８の外径を大きくすることで、複数の排気室２２を形成するための面積が広くなる。その結果、排気室２２の広さに応じて、管路面積の大きな配管継手１３及び配管を採択でき、吸着力を一層上げることができる。
【実施例３】
【００５０】
本発明の実施例３について図１０乃至図１４を参照しながら説明する。本実施例３の特徴は、配管ブロックの上面に複数の排気室を径方向で２段に形成し、サーキュラテーブルの下面側から排気吸引できるようにした点にある。尚、前記実施例と実質的に同一の構成要素については、それと同一の符号を付してその詳細な説明を省略するものとする。
【００５１】
上記実施例１と同様に、サーキュラテーブル１の駆動部である中空モータ２は、キャリッジ３の台座４上に固定されている。図１４に示すように、サーキュラテーブル１の内部には４本の排気経路３０が半径方向に形成され、これら排気経路３０は、サーキュラテーブル１の円周方向に等ピッチを有して放射状に配設されている。４本の排気経路３０のうち互いに対称な２本は、残りの２本よりも長く設定されている。各排気経路３０の内端側は、４つの各吸着口９に夫々独立に連通している。
【００５２】
円環形状の配管ブロック２８はサーキュラテーブル１と同芯状に配置され、配管ブロック２８の内径は中空モータ２の外径よりも若干大に設定されている。また、配管ブロック２８の上面には、平面視半円形状の２つの排気室３２Ａと２つの排気室３２Ｂの計４つが形成されている。
【００５３】
そして、排気室３２Ａと排気室３２Ｂは、配管ブロック２８の半径方向において２段に並んで配設されている。そのうち排気室３２Ａは、排気室３２Ｂの外側に位置して設けられている。又、２つの排気室３２Ａ及び２つの排気室３２Ｂは、それぞれ互いに対称な位置関係を有している。さらに、排気室３２Ａは排気室３２Ｂに対して周方向で９０度の位相差を有して配置されている。
【００５４】
４つの排気室３２Ａ，３２Ｂは、各々の底面部に連結した配管継手１３を介して、サーキュラテーブル１の各吸着口９に別々に連通している。依って、各排気室３２Ａ，３２Ｂと各吸着口９を含む４つの各排気系統は、互いに独立した排気吸引回路を形成している。
【００５５】
本実施例３によれば、サーキュラテーブル１の外周部下面側、即ち、配管ブロック２８の下面側に４つの配管継手１３を連結したことにより、真空ポンプの駆動によって、配管ブロック２８の各排気室３２Ａ，３２Ｂの底面部から排気吸引され、この吸引力は各排気経路３０を介して４つの吸着口９に夫々独立に生ずる。その結果、各吸着口９により、４個の被切削物を各々独立して吸着保持できる等、上記実施例１と同様な効果が期待できる。
【００５６】
また、排気室３２Ａ，３２Ｂの中心角は１８０度であるので、サーキュラテーブル１の吸着可能回転範囲は約１８０度に拡大する。即ち、サーキュラテーブル１を約１８０度回転させた場合でも、サーキュラテーブル１側の各排気経路３０と配管ブロック２８側の各排気室３２Ａ，３２Ｂとの連通状態は維持されるので、ワーク吸着機能が持続される。
【００５７】
叙上の如く本発明は、配管ブロックの複数の配管継手には、配管を介して真空ポンプが接続され、この真空ポンプにより、配管、排気室及び排気経路などを介してサーキュラテーブル側の各吸着口に吸引力が付与される。そのため、複数の各吸着口に独立した吸着力が発生させて、複数のワークを各別に吸着保持することができる。この場合、配管の本数や径は任意に設定できるので、真空ポンプを大型化させることなく、吸着力を上げることができる。
又、配管ブロック側の複数の各排気室を円弧形状に形成したことにより、排気室の円弧形状の中心角に応じた範囲で、サーキュラテーブルが回転しても、サーキュラテーブル側の排気経路と排気室との連通状態が維持される。よって、各吸着口において安定した真空吸着作用が保持される。
【００５８】
この場合、配管ブロックは移動体に固定しているので、サーキュラテーブルと共に配管が回転することはない。そのため、配管の本数を増加させても、配管の擦れや破損を招く恐れがないばかりか、サーキュラテーブルの吸着可能回転範囲が規制されたり、あるいは、サーキュラテーブルが回転する際に、配管から抵抗力を受けて、サーキュラテーブルの回転が妨げられることもない。
【００５９】
また、サーキュラテーブルの外径と略同等の外径を有する配管ブロックを、サーキュラテーブルの下面側に配置した場合は、サーキュラテーブル下側のデッドスペースを有効利用して、配管ブロックの配設及び配管の敷設を行える。よって、配管ブロック及び配管の配設のための占有スペースを特別に確保する必要がなく、吸着保持装置全体としてコンパクト設計が可能になる。
【００６０】
さらに、実施例２に示した如く、サーキュラテーブルの外径と略同等の内径を有する配管ブロックを使用し、これをサーキュラテーブルの外周側に配置した場合は、配管ブロックの外径を大きくして、排気室を形成するための面積を広くすることができる。よって、排気室の広さに応じて、管路面積の大きな配管継手を採択でき、以て、吸着口の吸着力を一層上げることができる。
【００６１】
また、複数の円弧形状の排気室を、配管ブロックの周方向に沿って一列に設けることにより、排気室の円弧形状の中心角に応じて、サーキュラテーブルの吸着可能回転範囲が大きくなる。
【００６２】
さらに、本発明に係る複数の排気室は、実施例３に示した如く、配管ブロックの径方向において複数段に配設することができる。かかる構成により、排気室の数（吸着口の数）が多くなっても、排気室を複数段に分けて一列に配置することで、各排気室の中心角の大きさが維持される。よって、サーキュラテーブルの吸着可能回転範囲を小さくすることなく、吸着口の数を増加させることができる。
【００６３】
本発明は、上記の実施例の内容に限定されるものではなく、本発明の精神を逸脱しない限り種々の改変を為すことができ、そして、本発明が該改変されたものに及ぶことは当然である。
【００６４】
例えば、複数の排気室は配管ブロックの厚さ方向で複数段に形成してもよく、又、複数の配管継手についても、配管ブロックの厚さ方向または周方向において互いに異なる箇所に連結することができる。更に、配管ブロックの半径方向に複数段に複数の排気室を配設した場合、各段の排気室の位置は配管ブロックの周方向で同位相になるように設定してもよい。
【産業上の利用可能性】
【００６５】
本発明の装置は、複数のワークを保持できる排気吸引式のダイシング装置の吸着保持装置であれば、サーキュラテーブル、回転駆動部等の構造や吸着口、配管継手等の数を問わずの全ての型式のものに有効に利用することが可能である。
【符号の説明】
【００６６】
１  サーキュラテーブル
２  中空モータ（回転駆動部）
３  キャリッジ（移動体）
４  台座
５  固定フレーム
６  レール
７  支持フレーム
８  配管ブロック
９  吸着口
１０  排気経路
１２  排気室（吸引室）
１３  配管継手
１８  配管ブロック（吸引ブロック）
２０  排気経路
２２  排気室
３０  排気経路
２８  配管ブロック
３２Ａ，３２Ｂ  排気室 
【図１】
2015164758.tif 000003
【図２】
2015164758.tif 000004
【図３】
2015164758.tif 000005
【図４】
2015164758.tif 000006
【図５】
2015164758.tif 000007
【図６】
2015164758.tif 000008
【図７】
2015164758.tif 000009
【図８】
2015164758.tif 000010
【図９】
2015164758.tif 000011
【図１０】
2015164758.tif 000012
【図１１】
2015164758.tif 000013
【図１２】
2015164758.tif 000014
【図１３】
2015164758.tif 000015
【図１４】
2015164758.tif 000016
【図１５】
2015164758.tif 000017
【図１６】
2015164758.tif 000018
【図１７】
2015164758.tif 000019
【図１８】
2015164758.tif 000020